(57)【要約】【課題】遮光体に複数の貫通孔が形成される場合と比較して、遮光体の成形不良を抑制する。【解決手段】各々の光軸が互いに沿うように並べられた複数のレンズを備えるレンズ体と、レンズ体に対して配置され、複数のレンズを通る光の一部を遮る遮光体とを有し、遮光体は、複数のレンズの光軸からずれた位置で複数のレンズの並ぶ方向である並び方向に沿って設けられる基部と、複数のレンズにおけるレンズ同士の間で、基部から並び方向と交差する交差方向に突出する複数の突出部とを有する光学装置。【選択図】図３
2020160238.tif 000002
【特許請求の範囲】
【請求項１】
各々の光軸が互いに沿うように並べられた複数のレンズを備えるレンズ体と、
前記レンズ体に対して配置され、前記複数のレンズのうちの一部のレンズの光軸上に位置し光を透過させる透過部と、当該透過部の表面に設けられ、光の通過を遮る遮光部とを有する透過体と
を有する
光学装置。
【請求項２】
前記遮光部は、前記複数のレンズにおけるレンズ同士の間に設けられる
ことを特徴とする請求項１記載の光学装置。
【請求項３】
前記一部のレンズは、前記複数のレンズのうち予め定めた間隔に位置するレンズであり、
前記複数の透過部における透過部同士の間には、前記複数のレンズのうちの前記一部のレンズ以外の他のレンズの光軸上に位置する空間が形成される
ことを特徴とする請求項２記載の光学装置。
【請求項４】
前記レンズは、前記他のレンズよりも曲率が大きい
ことを特徴とする請求項３記載の光学装置。
【請求項５】
前記透過体は、前記他のレンズの光軸に沿う方向において前記空間とは異なる位置に光を透過させる複数の他の透過部を有し、
前記複数の他の透過部における他の透過部同士の間であって、前記一部のレンズの光軸に沿う位置に他の空間が形成される
ことを特徴とする請求項３記載の光学装置。
【請求項６】
前記透過体は、前記他の透過部の表面に設けられ、光の通過を遮る他の遮光部を有する
ことを特徴とする請求項５記載の光学装置。
【請求項７】
前記複数の他の透過部の各々は、前記複数のレンズの並び方向において、前記複数の透過部のいずれかと連続する部分を有する
ことを特徴とする請求項５記載の光学装置。
【請求項８】
前記複数のレンズは、互いに沿う第１列および第２列に並べて設けられ、
前記透過体は、
前記第１列のレンズの光軸からずれた位置で当該第１列のレンズの並ぶ方向である並び方向に沿って設けられる第１基部と、当該第１基部から当該並び方向と交差する交差方向に突出し当該第１列のレンズの光軸上に位置する複数の第１透過部とを有する第１透過体と、
前記第２列のレンズの光軸からずれた位置で、前記第１列のレンズおよび当該第２列のレンズを挟んで前記第１基部とは反対側に前記並び方向に沿って設けられる第２基部と、当該第２基部から前記交差方向に突出し当該第２列のレンズの光軸上に位置する複数の第２透過部とを有する第２透過体と
を有することを特徴とする請求項１記載の光学装置。
【請求項９】
前記遮光部は、前記第１列および前記第２列の並び方向におけるレンズ同士の間、および当該第１列と当該第２列との間に設けられる
ことを特徴とする請求項８記載の光学装置。
【請求項１０】
前記第１透過体における前記第１透過部の先端は、前記第２透過体における前記第２透過部の先端と接触して設けられる
ことを特徴とする請求項９記載の光学装置。
【請求項１１】
前記第１透過体における前記第１透過部の先端および前記第２透過体における前記第２透過部の先端は、平坦である
ことを特徴とする請求項１０記載の光学装置。
【請求項１２】
前記レンズの光軸に沿う方向において、前記第１透過体および前記第２透過体を挟んで前記レンズ体と反対側に設けられ、当該第１透過体および当該第２透過体の対向する領域を覆う覆い部材を有することを特徴とする請求項８記載の光学装置。
【請求項１３】
前記覆い部材は、前記複数のレンズの各光軸上に光を通過させる通過領域を有することを特徴とする請求項１２記載の光学装置。
【請求項１４】
前記覆い部材は、前記レンズの光軸に沿う方向において、前記第１透過体および前記第２透過体よりも厚さが薄いことを特徴とする請求項１３記載の光学装置。
【請求項１５】
前記複数のレンズは、互いに沿う第１列および第２列に並べて設けられ
前記複数の透過部の各々は、前記複数のレンズの並び方向と交差する交差方向に突出し、前記第１列のレンズの光軸および前記第２列のレンズの光軸と交差する
ことを特徴とする請求項１記載の光学装置。
【請求項１６】
前記第１列のレンズの各々と前記第２列のレンズの各々とは前記並び方向において互いにずれて配置され、
前記複数の透過部の各々は、前記第１列のレンズの光軸と交差する部分および前記第２列のレンズの光軸と交差する部分が連続する部分において屈曲する
ことを特徴とする請求項１５記載の光学装置。
【請求項１７】
前記遮光部は、前記透過部の表面を塗装して設けられた塗装部材を有する
ことを特徴とする請求項１記載の光学装置。
【請求項１８】
前記透過部における前記塗装部材により覆われている表面は、当該塗装部材により覆われない当該透過部の表面よりも、表面が粗い
ことを特徴とする請求項１７記載の光学装置。
【請求項１９】
各々の光軸が互いに沿うように並べられた複数のレンズを備えるレンズ体と、
前記レンズ体に対して配置され、前記複数のレンズを通る光の一部を遮る遮光体と
を有し、
前記遮光体は、
前記複数のレンズの側方で当該複数のレンズの並ぶ方向である並び方向に沿って設けられる基部と、
前記基部から前記並び方向と交差する交差方向に突出する複数の突出部と
を有し、
前記複数の突出部の各々は、前記複数のレンズにおける予め定めた間隔ごとのレンズの光軸上に位置する
光学装置。
【請求項２０】
原稿に対して光を照射する照射部と、
各々の光軸が互いに沿うように並べられ、原稿から反射した光を通す複数のレンズを備えるレンズ体と、
前記レンズ体に対して配置され、前記複数のレンズのうちの一部のレンズの光軸上に位置し光を透過させる透過部と、当該透過部の表面に設けられ、光の通過を遮る遮光部とを有する透過体と、
前記複数のレンズを通る光を受光する受光部と
を有する
画像読取装置。
【請求項２１】
原稿に対して光を照射する照射部と、
各々の光軸が互いに沿うように並べられ、原稿から反射した光を通す複数のレンズを備えるレンズ体と、
前記レンズ体に対して配置され、前記複数のレンズのうちの一部のレンズの光軸上に位置し光を透過させる透過部と、当該透過部の表面に設けられ、光の通過を遮る遮光部とを有する透過体と、
前記複数のレンズを通る光を受光する受光部と、
前記受光部が受光した光に基づいて画像を形成する画像形成部と
を有する
画像形成装置。
【発明の詳細な説明】
【技術分野】
【０００１】
本発明は、光学装置、画像読取装置、および画像形成装置に関する。
【背景技術】
【０００２】
特許文献１には、複数のレンズが列状に並び、かつ光入射用の複数の第１のレンズ面および光出射用の複数の第２のレンズ面を有する少なくとも１つのレンズアレイと、各レンズの軸長方向に貫通した複数の貫通孔を有しており、かつこれら複数の貫通孔が各第１のレンズ面の正面に位置するようにしてレンズアレイの正面を覆う第１の遮光マスクと、を備えている、レンズアレイユニットであって、各レンズの軸長方向に貫通した複数の貫通孔を有しており、かつこれら複数の貫通孔が各第２のレンズ面の背後に位置するようにレンズアレイの背後に配された第２の遮光マスクをさらに備えることが開示されている。
【先行技術文献】
【特許文献】
【０００３】
【特許文献１】特開２００３−３０２５０４号公報
【発明の概要】
【発明が解決しようとする課題】
【０００４】
ところで、光軸が互いに沿うように並べられた複数のレンズを備えるレンズ体に対して、例えば迷光を抑制するため、レンズを通る光の一部を遮る遮光体を設けることがある。また、このような遮光体としては、各レンズに対応する位置に光を通す貫通孔を設ける構成が知られている。ここで、レンズ体におけるレンズ間の距離を小さくしようとすると、遮光体における貫通孔間の距離も小さくすることが必要となる。しかしながら、貫通孔間の距離を小さくすると、遮光体の成形不良が発生しやすくなる。
【０００５】
そこで、本発明では、遮光体に複数の貫通孔が形成される場合と比較して、光の通過を遮る構成における成形不良を抑制することを目的とする。
【課題を解決するための手段】
【０００６】
請求項１に記載の発明は、各々の光軸が互いに沿うように並べられた複数のレンズを備えるレンズ体と、前記レンズ体に対して配置され、前記複数のレンズのうちの一部のレンズの光軸上に位置し光を透過させる透過部と、当該透過部の表面に設けられ、光の通過を遮る遮光部とを有する透過体とを有する光学装置である。
請求項２に記載の発明は、前記遮光部は、前記複数のレンズにおけるレンズ同士の間に設けられることを特徴とする請求項１記載の光学装置である。
請求項３に記載の発明は、前記一部のレンズは、前記複数のレンズのうち予め定めた間隔に位置するレンズであり、前記複数の透過部における透過部同士の間には、前記複数のレンズのうちの前記一部のレンズ以外の他のレンズの光軸上に位置する空間が形成されることを特徴とする請求項２記載の光学装置である。
請求項４に記載の発明は、前記レンズは、前記他のレンズよりも曲率が大きい
ことを特徴とする請求項３記載の光学装置である。
請求項５に記載の発明は、前記透過体は、前記他のレンズの光軸に沿う方向において前記空間とは異なる位置に光を透過させる複数の他の透過部を有し、前記複数の他の透過部における他の透過部同士の間であって、前記一部のレンズの光軸に沿う位置に他の空間が形成されることを特徴とする請求項３記載の光学装置である。
請求項６に記載の発明は、前記透過体は、前記他の透過部の表面に設けられ、光の通過を遮る他の遮光部を有することを特徴とする請求項５記載の光学装置である。
請求項７に記載の発明は、前記複数の他の透過部の各々は、前記複数のレンズの並び方向において、前記複数の透過部のいずれかと連続する部分を有することを特徴とする請求項５記載の光学装置である。
請求項８に記載の発明は、前記複数のレンズは、互いに沿う第１列および第２列に並べて設けられ、前記透過体は、前記第１列のレンズの光軸からずれた位置で当該第１列のレンズの並ぶ方向である並び方向に沿って設けられる第１基部と、当該第１基部から当該並び方向と交差する交差方向に突出し当該第１列のレンズの光軸上に位置する複数の第１透過部とを有する第１透過体と、前記第２列のレンズの光軸からずれた位置で、前記第１列のレンズおよび当該第２列のレンズを挟んで前記第１基部とは反対側に前記並び方向に沿って設けられる第２基部と、当該第２基部から前記交差方向に突出し当該第２列のレンズの光軸上に位置する複数の第２透過部とを有する第２透過体とを有することを特徴とする請求項１記載の光学装置である。
請求項９に記載の発明は、前記遮光部は、前記第１列および前記第２列の並び方向におけるレンズ同士の間、および当該第１列と当該第２列との間に設けられることを特徴とする請求項８記載の光学装置である。
請求項１０に記載の発明は、前記第１透過体における前記第１透過部の先端は、前記第２透過体における前記第２透過部の先端と接触して設けられることを特徴とする請求項９記載の光学装置である。
請求項１１に記載の発明は、前記第１透過体における前記第１透過部の先端および前記第２透過体における前記第２透過部の先端は、平坦であることを特徴とする請求項１０記載の光学装置である。
請求項１２に記載の発明は、前記レンズの光軸に沿う方向において、前記第１透過体および前記第２透過体を挟んで前記レンズ体と反対側に設けられ、当該第１透過体および当該第２透過体の対向する領域を覆う覆い部材を有することを特徴とする請求項８記載の光学装置である。
請求項１３に記載の発明は、前記覆い部材は、前記複数のレンズの各光軸上に光を通過させる通過領域を有することを特徴とする請求項１２記載の光学装置である。
請求項１４に記載の発明は、前記覆い部材は、前記レンズの光軸に沿う方向において、前記第１透過体および前記第２透過体よりも厚さが薄いことを特徴とする請求項１３記載の光学装置である。
請求項１５に記載の発明は、前記複数のレンズは、互いに沿う第１列および第２列に並べて設けられ前記複数の透過部の各々は、前記複数のレンズの並び方向と交差する交差方向に突出し、前記第１列のレンズの光軸および前記第２列のレンズの光軸と交差することを特徴とする請求項１記載の光学装置である。
請求項１６に記載の発明は、前記第１列のレンズの各々と前記第２列のレンズの各々とは前記並び方向において互いにずれて配置され、前記複数の透過部の各々は、前記第１列のレンズの光軸と交差する部分および前記第２列のレンズの光軸と交差する部分が連続する部分において屈曲することを特徴とする請求項１５記載の光学装置である。
請求項１７に記載の発明は、前記遮光部は、前記透過部の表面を塗装して設けられた塗装部材を有することを特徴とする請求項１記載の光学装置である。
請求項１８に記載の発明は、前記透過部における前記塗装部材により覆われている表面は、当該塗装部材により覆われない当該透過部の表面よりも、表面が粗いことを特徴とする請求項１７記載の光学装置である。
請求項１９に記載の発明は、各々の光軸が互いに沿うように並べられた複数のレンズを備えるレンズ体と、前記レンズ体に対して配置され、前記複数のレンズを通る光の一部を遮る遮光体とを有し、前記遮光体は、前記複数のレンズの側方で当該複数のレンズの並ぶ方向である並び方向に沿って設けられる基部と、前記基部から前記並び方向と交差する交差方向に突出する複数の突出部とを有し、前記複数の突出部の各々は、前記複数のレンズにおける予め定めた間隔ごとのレンズの光軸上に位置する光学装置である。
請求項２０に記載の発明は、原稿に対して光を照射する照射部と、各々の光軸が互いに沿うように並べられ、原稿から反射した光を通す複数のレンズを備えるレンズ体と、前記レンズ体に対して配置され、前記複数のレンズのうちの一部のレンズの光軸上に位置し光を透過させる透過部と、当該透過部の表面に設けられ、光の通過を遮る遮光部とを有する透過体と、前記複数のレンズを通る光を受光する受光部とを有する画像読取装置である。
請求項２１に記載の発明は、原稿に対して光を照射する照射部と、各々の光軸が互いに沿うように並べられ、原稿から反射した光を通す複数のレンズを備えるレンズ体と、前記レンズ体に対して配置され、前記複数のレンズのうちの一部のレンズの光軸上に位置し光を透過させる透過部と、当該透過部の表面に設けられ、光の通過を遮る遮光部とを有する透過体と、前記複数のレンズを通る光を受光する受光部と、前記受光部が受光した光に基づいて画像を形成する画像形成部とを有する画像形成装置である。
【発明の効果】
【０００７】
請求項１の発明によれば、遮光体に複数の貫通孔が形成される場合と比較して、光の通過を遮る構成における成形不良を抑制することができる。
請求項２の発明によれば、レンズを通る光の量が低減することを抑制しながら、迷光をより抑制できる。
請求項３の発明によれば、レンズを通る光の量が低減することを抑制しながら、迷光をより抑制できる。
請求項４の発明によれば、各レンズを通る光の光路差が抑制される。
請求項５の発明によれば、透過体が複数の他の透過部を有しない場合と比較して、各レンズを通る光の光路差が抑制される。
請求項６の発明によれば、透過体を構成する部品を共通化できる。
請求項７の発明によれば、他の透過部が複数のレンズの並び方向において、複数の透過部と連続しない場合と比較して、迷光をより抑制できる。
請求項８の発明によれば、レンズの列が複数である構成において、迷光を抑制できる。
請求項９の発明によれば、レンズの列が複数である構成において、迷光を抑制できる。
請求項１０の発明によれば、レンズの列が複数である構成において、迷光を抑制できる。
請求項１１の発明によれば、第１透過部の先端および第２透過部の先端が平坦でない場合と比較して、迷光をより抑制できる。
請求項１２の発明によれば、覆い部材を有しない場合と比較して、迷光をより抑制できる。
請求項１３の発明によれば、覆い部材が通過領域を有しない場合と比較して、迷光がより抑制される。
請求項１４の発明によれば、レンズの光軸に沿う方向において、覆い部材が第１遮光体および第２遮光体よりも厚い場合と比較して、光学装置の寸法を抑制できる。
請求項１５の発明によれば、レンズの列が複数である構成において、迷光を抑制できる。
請求項１６の発明によれば、レンズの配置が密である構成において、迷光を抑制できる。
請求項１７の発明によれば、遮光部が塗装して設けられない場合と比較して、遮光部の形成が容易となる。
請求項１８の発明によれば、透過部における前記塗装部材により覆われている表面が滑らかな場合と比較して、透過部内で光が反射することが抑制される。
請求項１９の発明によれば、遮光体に複数の貫通孔が形成される場合と比較して、光の通過を遮る構成における成形不良を抑制することができる。
請求項２０の発明によれば、遮光体に複数の貫通孔が形成される場合と比較して、光の通過を遮る構成における成形不良を抑制することができる。
請求項２１の発明によれば、遮光体に複数の貫通孔が形成される場合と比較して、光の通過を遮る構成における成形不良を抑制することができる。
【図面の簡単な説明】
【０００８】
【図１】本実施の形態が適用される画像形成装置の概略構成図である。
【図２】本実施の形態が適用される原稿読取装置の概略構成図である。
【図３】本実施の形態が適用されるレンズアレイユニットの分解斜視図である。
【図４】第１壁部材の斜視図である。
【図５】（ａ）および（ｂ）は、第１壁部材の構成を説明するための図である。
【図６】（ａ）および（ｂ）は、遮光膜の構成を説明するための図である。
【図７】遮光壁の配置を説明するための図である。
【図８】（ａ）および（ｂ）は、壁部材の変形例を説明する図である。
【図９】壁部材の他の変形例を説明する図である。
【図１０】（ａ）および（ｂ）は、壁部材の他の変形例を説明する図である。
【図１１】壁部材の他の変形例を説明する図である。
【図１２】（ａ）乃至（ｄ）は、第１遮光フィルムの変形例を示す図である。
【図１３】（ａ）および（ｂ）は、第１遮光フィルムの形状を変化させたシミュレーション結果を示す図である。
【発明を実施するための形態】
【０００９】
以下、添付図面を参照して、本発明の実施の形態について説明する。
＜画像形成装置１００＞
図１は、本実施の形態が適用される画像形成装置１００の概略構成図である。
図１に示すように、画像形成装置１００は、原稿Ｇの情報を読み取る原稿読取装置１と、原稿読取装置１で読み取った原稿の情報（読取画像）に基づいて画像を記録紙Ｓに形成する画像形成部２と、画像形成部２に供給する記録紙Ｓを送り出す給紙部３とを備えている。この画像形成装置１００では、画像形成部２と給紙部３とを本体１０１の内部に収容する一方で、本体１０１の上方に原稿読取装置１を配置している。本体１０１は、その上面部に、画像が形成された記録紙Ｓを排出して収容する排出収容部１０２を有する。
【００１０】
原稿読取装置１は、筐体１０３を有する。また、原稿読取装置１は、筐体１０３の上面部に、原稿Ｇを置く光透過性の原稿台１０５と、その原稿台１０５を覆うとともに筐体１０３に対して開閉操作できる原稿カバー１０６とを有する。原稿カバー１０６には、原稿Ｇを読取位置まで搬送するとともに読み取り後の原稿Ｇを排出する自動原稿搬送部１０７と、自動原稿搬送部１０７により送られる原稿Ｇを搭載する原稿トレイ１０８と、自動原稿搬送部１０７から排出される原稿Ｇを収容する収容部１０９とが設けられている。
【００１１】
画像形成部２は、例えば電子写真方式にて、イエロー（Ｙ），マゼンタ（Ｍ），シアン（Ｃ），ブラック（Ｋ）の各色のトナー像を形成する像形成ユニット２０と、その像形成ユニット２０で形成されたトナー像を記録紙Ｓに転写するまで搬送する中間転写ユニット２６と、中間転写ユニット２６から記録紙Ｓに転写したトナー像を定着させる定着ユニット２７とを備えている。
【００１２】
給紙部３は、予め定めたサイズ、種類などからなる複数枚の記録紙Ｓを搭載可能な引き出し式の収容体３１と、収容体３１に収容される記録紙Ｓを１枚ずつ搬送路に送り出す送出装置３２とを有する。給紙部３と画像形成部２との間には、給紙部３から送り出された記録紙Ｓを二次転写位置まで搬送する供給搬送路２８が配置されている。
【００１３】
次に、画像形成装置１００の基本的な動作について説明をする。
まず、原稿読取装置１では、ユーザによって原稿台１０５と原稿トレイ１０８のいずれか一方に原稿Ｇが置かれる。そして、ユーザが操作ボタン（不図示）などを操作することで、原稿読み取りの指示を受け付けると、原稿Ｇの読み取り動作が開始される。すなわち、原稿読取装置１が原稿Ｇの読み取り情報を取得する。そして、画像形成部２が、原稿読取装置１から受信した原稿Ｇの読み取り情報に基づいて、画像形成動作を実行する。この際、画像形成部２の動作にあわせて、給紙部３から記録紙Ｓが送り出される。そして、記録紙Ｓは、画像形成部２にてトナー像が定着された後、排出収容部１０２へと排出される。以上の画像形成の動作は、原稿Ｇの枚数や画像形成枚数に応じた分だけ同様に繰り返される。
【００１４】
＜原稿読取装置１＞
図２は、本実施の形態が適用される原稿読取装置１の概略構成図である。
次に、図２を参照しながら、本実施の形態が適用される原稿読取装置１について説明をする。図２に示すように、原稿読取装置１は、透明板７０と、透明板７０を支持する合成樹脂製のケース７１と、ケース７１の底面部に組み付けられた基板７２とを備えている。基板７２の表面上には、主走査方向（紙面と直交する方向）に間隔を隔てて列状に並べられた複数の点状の光源７３と、これら複数の光源７３と同方向に並べられた複数の受光素子７４とが設けられている。各光源７３は、例えば発光ダイオードを用いて構成されている。各受光素子７４は、光電変換機能を有するものであり、光を受けると、その受光量に対応した出力レベルの信号、具体的には画像信号を出力する。
【００１５】
ここで、原稿読取装置１は、透明板７０と各受光素子７４との間に、レンズアレイユニット１０を備えている。レンズアレイユニット１０の詳細な構成は後述するが、図示のレンズアレイユニット１０は、ケース７１に設けられた凹溝７５内に配置されている。また、図示の透明板７０の表面部のうち、レンズアレイユニット１０に対向する部分は、主操作方向に延びる画像読み取り領域Ｌａとなっている。この画像読み取り領域Ｌａには、各光源７３から光が照射される。
【００１６】
原稿読取装置１においては、自動原稿搬送部１０７（図１参照）によって透明板７０の表面上に導かれた原稿Ｇに対して、光源７３からの光が照射される。原稿Ｇに照射された光の反射光は、レンズアレイユニット１０に向けて進行する。すると、レンズアレイユニット１０の作用によって、画像読み取り領域Ｌａにおける原稿Ｇの１ライン分の画像が、複数の受光素子７４上に正立等倍で結像する。このため、複数の受光素子７４からは、原稿Ｇの画像に対応する１ライン分の画像信号が出力される。このような読み取り処理は、原稿Ｇが例えば自動原稿搬送部１０７が有するプラテンローラ７７によって副走査方向に搬送される過程において、複数回にわたって繰り返し実行される。
【００１７】
なお、以下の説明においては、画像読み取り領域Ｌａから受光素子７４に向かう方向、すなわち図２における上下方向を光軸方向ということがある。
【００１８】
＜レンズアレイユニット１０＞
図３は、本実施の形態が適用されるレンズアレイユニット１０の分解斜視図である。
次に、図３を参照しながら、本実施の形態が適用されるレンズアレイユニット１０について説明をする。
【００１９】
図３に示すように、レンズアレイユニット１０は、第１遮光フィルム１１０と、遮光壁１３０と、第２遮光フィルム１５０と、第１レンズアレイ１７０と、第２レンズアレイ１８０と、第３遮光フィルム１９０とを有する。さらに説明をすると、図示の例のレンズアレイユニット１０においては、第１遮光フィルム１１０、遮光壁１３０、第２遮光フィルム１５０、第１レンズアレイ１７０、第２レンズアレイ１８０、および第３遮光フィルム１９０がこの順で積層されるとともに、接着剤などによって互いに接着され一体化している。以下、レンズアレイユニット１０が有する各部材について説明をする。
【００２０】
まず、第１レンズアレイ１７０および第２レンズアレイ１８０について説明をする。
第１レンズアレイ１７０および第２レンズアレイ１８０は、各々略直方体状の部材である。さらに説明をすると、図示の第１レンズアレイ１７０および第２レンズアレイ１８０は、１対のレンズ部材であり、互いに一致する形状である。
【００２１】
第１レンズアレイ１７０は、略直方体状の第１支持体１７１と、第１支持体１７１の表裏面に形成された複数の第１レンズ１７３とを有する。複数の第１レンズ１７３は、各々の光軸が互いに平行になるように構成されている。また、複数の第１レンズ１７３は、主走査方向に沿った第１列Ｒ７１および第２列Ｒ７２に並べて設けられる。ここで、複数の第１レンズ１７３は、千鳥状に配置されている。すなわち、第１列Ｒ７１を構成する第１レンズ１７３と、第２列Ｒ７２を構成する第１レンズ１７３とは、主走査方向において互いにずれて配置されている。なお、第１列Ｒ７１における第１レンズ１７３は、予め定めた間隔、すなわちピッチで配置されている。また、第２列Ｒ７２における第１レンズ１７３は、第１列Ｒ７１と同一の間隔で配置されている。
【００２２】
第２レンズアレイ１８０は、略直方体状の第２支持体１８１と、第２支持体１８１の表裏面に形成された複数の第２レンズ１８３とを有する。複数の第２レンズ１８３は、各々の光軸が互いに平行になるように構成されている。また、複数の第２レンズ１８３は、主走査方向に沿った第１列Ｒ８１および第２列Ｒ８２に並べて設けられる。ここで、複数の第２レンズ１８３は、千鳥状に配置されている。すなわち、第１列Ｒ８１を構成する第２レンズ１８３と、第２列Ｒ８２を構成する第２レンズ１８３とは、主走査方向において互いにずれて配置されている。なお、第１列Ｒ８１における第２レンズ１８３は、予め定めた間隔で配置されている。また、第２列Ｒ８２における第２レンズ１８３は、第１列Ｒ８１と同一の間隔で配置されている。
【００２３】
図示の例においては、第１レンズアレイ１７０および第２レンズアレイ１８０は、第１レンズ１７３および第２レンズ１８３の各々が互いに対向するように配置される。さらに説明をすると、第１レンズ１７３の光軸と第２レンズ１８３の光軸とが一致するように揃えて配置されている。また、第１レンズアレイ１７０および第２レンズアレイ１８０の各々は、例えば透光性を有する光学樹脂を用いて射出成形することにより、一体的に形成される。なお、以下の説明において、第１レンズ１７３の光軸と第２レンズ１８３の光軸とを区別する必要がない場合、単に「第１レンズ１７３の光軸」と呼ぶことがある。
【００２４】
次に、第１遮光フィルム１１０、第２遮光フィルム１５０、および第３遮光フィルム１９０について説明をする。第１遮光フィルム１１０、第２遮光フィルム１５０、および第３遮光フィルム１９０は、各々長尺状の薄板部材である。図示の例における第１遮光フィルム１１０、第２遮光フィルム１５０、および第３遮光フィルム１９０は、互いに一致する形状である。
【００２５】
第１遮光フィルム１１０は、平面視略長方形状の第１板面１１１を有する。この第１板面１１１には、複数の第１貫通孔１１３が形成されている。ここで、各第１貫通孔１１３は、略円形である。また、各第１貫通孔１１３の位置は、第１レンズ１７３および第２レンズ１８３に対応する。すなわち、各第１貫通孔１１３は、第１レンズ１７３の光軸が通過する位置に形成されている。また、第１貫通孔１１３は、主走査方向に沿った第１列Ｒ１１および第２列Ｒ１２に並べて設けられる。
【００２６】
図示の例においては、第１遮光フィルム１１０は、遮光壁１３０よりも、厚さが薄い。すなわち、第１遮光フィルム１１０は、遮光壁１３０よりも光軸方向の寸法が小さい。また、第１遮光フィルム１１０は、例えば黒色顔料を混ぜた樹脂材料（例えば、アクリル樹脂）により形成されている。この第１遮光フィルム１１０は、第１レンズ１７３および第２レンズ１８３の結像に寄与しない構成を遮断する。さらに説明をすると、第１遮光フィルム１１０は、光軸方向において遮光壁１３０を挟んで第１レンズ１７３および第２レンズ１８３とは反対側、言い替えると遮光壁１３０の上面に設けられ、遮光壁１３０に進入する光の一部を遮断する。この第１遮光フィルム１１０は、後述する第１壁部材１３１Ａおよび第２壁部材１３１Ｂの対向する領域を覆う覆い部材の一例である。
【００２７】
上記のように第１遮光フィルム１１０、第２遮光フィルム１５０、および第３遮光フィルム１９０は、互いに一致する形状であるため、詳細な説明は省略するが、第２遮光フィルム１５０は、複数の第２貫通孔１５３が形成された第２板面１５１を有する。ここで、各第２貫通孔１５３は、第１レンズ１７３の光軸が通過する位置に形成されている。また、第２貫通孔１５３は、第１列Ｒ５１および第２列Ｒ５２に並べて設けられる。
【００２８】
また、第３遮光フィルム１９０は、複数の第３貫通孔１９３が形成された第３板面１９１を有する。ここで、各第３貫通孔１９３は、第１レンズ１７３の光軸が通過する位置に形成されている。また、第３貫通孔１９３は、第１列Ｒ９１および第２列Ｒ９２に並べて設けられる。
【００２９】
＜遮光壁１３０＞
図４は、第１壁部材１３１Ａの斜視図である。
図５（ａ）および（ｂ）は、第１壁部材１３１Ａの構成を説明するための図である。より詳細には、図５（ａ）は第１壁部材１３１Ａの上面図であり、図５（ｂ）は第１壁部材１３１Ａの正面図である。なお、図５（ａ）においては、後述する第２段Ｆ２の突出部１３７の記載を省略している。
【００３０】
次に、図３乃至図５（ａ）および（ｂ）を参照しながら、遮光壁１３０について説明をする。
図３に示すように、遮光壁１３０は、各々略直方体状の２つの壁部材１３１、すなわち第１壁部材１３１Ａおよび第２壁部材１３１Ｂを並べて構成される。さらに説明をすると、遮光壁１３０は、第１レンズ１７３の光軸を挟んで互いに対向して設けられる第１壁部材１３１Ａおよび第２壁部材１３１Ｂを有する。
【００３１】
第１壁部材１３１Ａおよび第２壁部材１３１Ｂの各々は、透光性を有する光学樹脂により形成されている。例えば、第１壁部材１３１Ａおよび第２壁部材１３１Ｂは、射出成形をすることよって、各々一体的に形成される。図示の例の第１壁部材１３１Ａおよび第２壁部材１３１Ｂは、第１レンズアレイ１７０および第２レンズアレイ１８０と同一の材料、例えばアクリル樹脂により形成されている。このことにより、湿度や温度が変化した場合においても、レンズアレイユニット１０の光学性能の変化を小さくし得る。
【００３２】
第１壁部材１３１Ａおよび第２壁部材１３１Ｂは同一の構造の部材である。そこで、以下においては、第１壁部材１３１Ａを例に詳細な構造を説明する。
図４および図５（ａ）に示すように、第１壁部材１３１Ａは、長手方向が主走査方向に沿って配置される略直方体状の部材である。また、詳細は後述するが、第１壁部材１３１Ａは、第１壁部材１３１Ａの外面の一部に光を遮断する遮光膜１３９を有する。
【００３３】
第１壁部材１３１Ａは、例えば、主走査方向の長さＬ１が３００ｍｍであり、光軸方向の長さＬ２が２．５ｍｍであり、副走査方向の長さＬ３が３ｍｍである。第１壁部材１３１Ａは、法線が副走査方向に沿う面である第１側面１３３を有する。なお、この第１側面１３３は、第１壁部材１３１Ａにおいて第２壁部材１３１Ｂと対向する面である。
【００３４】
この第１壁部材１３１Ａは、第１側面１３３から副走査方向に凹む複数の凹部１３５を有する。この複数の凹部１３５は、略直方体状、より具体的には略立方体状の空間を各々形成する。さらに説明をすると、凹部１３５は、光軸方向に見て略矩形状の空間を形成する。また、複数の凹部１３５は、予め定めた間隔で主走査方向に複数並べて設けられる。また、複数の凹部１３５は、主走査方向における位置を互いにずらして複数段となるように形成されている。具体的には、複数の凹部１３５は、光軸方向に重なる第１段Ｆ１と第２段Ｆ２とに分かれて形成されている。そして、複数の凹部１３５の各々は、第１レンズ１７３の光軸が通過する位置に形成されている。
【００３５】
ここで、図４に示すように、第１側面１３３に複数の凹部１３５が形成された第１壁部材１３１Ａは、長手方向が主走査方向に沿って伸びる基部１３２と、基部１３２から副走査方向に突出する複数の突出部１３７とを有する構成として捉えることができる。なお、基部１３２とは、凹部１３５の底面１３８を結ぶ主走査方向に沿う仮想面から突出部１３７と反対の側の部分をいう。図示の例においては、基部１３２は略長方体状の部分である。また、突出部１３７は、略直方体状、より具体的には略立方体状の部分である。さらに説明をすると、突出部１３７は、各々光軸方向に見て略矩形状の部分である。また、突出部１３７は、主走査方向において予め定められた間隔で配置されている。また、突出部１３７は、主走査方向における位置を互いにずらして複数段、すなわち第１段Ｆ１と第２段Ｆ２に分けて形成されている。
【００３６】
付言すると、第１壁部材１３１Ａを第１段Ｆ１と第２段Ｆ２とで共通する構成とすることにより、部品の共通化が図られる。さらに説明をすると、第１壁部材１３１Ａを上記のような一体形状ではなく、第１段Ｆ１と第２段Ｆ２とを別部材として構成すると、例えば共通の部品を重ねることで第１壁部材１３１Ａを形成し得る。
【００３７】
次に、凹部１３５および突出部１３７の位置関係について説明をする。図５（ｂ）に示すように、第１段Ｆ１および第２段Ｆ２の各々において、主走査方向に沿って凹部１３５および突出部１３７が交互に並べられた配置となる。ここで、第１段Ｆ１の突出部１３７の各々は、第２段Ｆ２の突出部１３７のいずれかと連続して設けられる。具体的に説明をすると、例えば第１段Ｆ１の第１突出部１３７Ａは、主走査方向において第１突出部１３７Ａを挟む位置に設けられる第２段Ｆ２の第２突出部１３７Ｂおよび第３突出部１３７Ｃと、隅部Ｃ１および隅部Ｃ２を介して連続して設けられる。このことにより、１の凹部１３５から他の凹部１３５に光が直接進入することが抑制される。
【００３８】
また、図５（ｂ）に示すように、光軸方向においては、１つの突出部１３７と１つの凹部１３５とが並べられた構成となる。したがって、第１レンズ１７３の光軸の各々は、第１段Ｆ１において突出部１３７および凹部１３５におけるいずれか一方を通り、第２段Ｆ２において突出部１３７および凹部１３５における他方を通る。さらに説明をすると、第１段Ｆ１において突出部１３７を通過する光軸は、第２段Ｆ２において凹部１３５を通過する。また、第１段Ｆ１において凹部１３５を通過する光軸は、第２段Ｆ２において突出部１３７を通過する。このことにより、各光軸の光路長が互いに一致する。
【００３９】
次に、再び図４を参照しながら、第１壁部材１３１Ａにおける各部分の寸法の例について説明をする。図示の例においては、副走査方向における凹部１３５の深さ、言い替えると副走査方向における突出部１３７の突出量である長さＬ４は０．４ｍｍである。また、主走査方向における各凹部１３５の長さＬ５は０．５ｍｍである。また、主走査方向における各突出部１３７の長さＬ６は０．５ｍｍである。すなわち、凹部１３５および突出部１３７は、主走査方向における長さが一致する。また、凹部１３５および突出部１３７の各々における主走査方向の長さは、第１レンズアレイ１７０および第２レンズアレイ１８０におけるレンズピッチと一致する。つまり、主走査方向における凹部１３５同士の間隔、および突出部１３７同士の間隔は、第１レンズアレイ１７０および第２レンズアレイ１８０におけるレンズピッチと一致する。
【００４０】
＜遮光膜１３９＞
図６（ａ）および（ｂ）は、遮光膜１３９の構成を説明するための図である。より詳細には、図６（ａ）は図５（ａ）のＶＩＡ―ＶＩＡにおける断面図であり、図６（ｂ）は図５（ａ）のＶＩＢ―ＶＩＢにおける断面図である。
【００４１】
次に、図５（ａ）および（ｂ）、図６（ａ）および（ｂ）を参照しながら、第１壁部材１３１Ａの表面の一部に設けられる遮光膜１３９について説明をする。
なお、図５（ａ）に示すように、突出部１３７は、突出部１３７の先端に位置し第２壁部材１３１Ｂ（図３参照）と対向する対向面１３４を有する。ここで、突出部１３７の対向面１３４は、第１側面１３３の一部を構成する面であり、平坦な面である。また、凹部１３５は、内側面１３６と底面１３８とを有する。凹部１３５の内側面１３６は、法線が主走査方向に沿う面である。凹部１３５の底面１３８は、法線が副走査方向に沿う面である。
【００４２】
さて、図５（ａ）に示すように、第１壁部材１３１Ａにおける内側面１３６および対向面１３４は、遮光膜１３９によって覆われている。また、第１壁部材１３１Ａにおける内側面１３６および対向面１３４以外の部分は、遮光膜１３９によって覆われていない。このような構成とすることにより、第１壁部材１３１Ａは、例えば光が光軸方向に突出部１３７を透過するなど、光が光軸方向に進むことを許容しながら、後述するように迷光が生じることを抑制する。
【００４３】
さらに説明をすると、図６（ａ）に示すように、内側面１３６は遮光膜１３９によって覆われている。このことにより、凹部１３５側から突出部１３７側に向けて光ＬＰ１が透過することが制限される。また、突出部１３７側から凹部１３５側に向けて光ＬＰ２が透過することが制限される。言い替えると、主走査方向において隣り合う光軸に向けて光ＬＰ１およびＬＰ２が進行することを制限する。
【００４４】
さらに、内側面１３６の表面粗さは、第１壁部材１３１Ａにおける他の部分、例えば底面１３８よりも粗い。このことにより、突出部１３７と遮光膜１３９との界面である内側面１３６において、突出部１３７から外に向かう光ＬＰが正反射することが抑制される。なお、表面粗さとは、表面の粗さを規定するものであり、例えば日本工業規格（ＪＩＳ）に規定される粗さ曲線の算術平均粗さ（Ｒａ）である。また、内側面１３６は、射出成形の型の対応部分に予め形成された凹凸によって、粗面化されてもよい。また、内側面１３６は、例えばブラスト処理などによって、粗面化されてもよい。
【００４５】
また、詳細な説明は省略するが、突出部１３７の対向面１３４は遮光膜１３９によって覆われている。また、対向面１３４の表面粗さは、底面１３８よりも粗い。このことにより、突出部１３７と遮光膜１３９との界面である対向面１３４において、突出部１３７から外に向かう光が正反射することが抑制される。
【００４６】
一方で、図６（ｂ）に示すように、底面１３８は、遮光膜１３９によって覆われない。このことにより、凹部１３５側から基部１３２側に光ＬＰ３が透過することが許容される（図中光ＬＰ４参照）。言い替えると、副走査方向において光ＬＰ３が進行することが許容される。このことにより、底面１３８に入射した光ＬＰ３が正反射し迷光となることが抑制される。なお、図示の例における遮光膜１３９は、例えば樹脂などを塗装することにより第１壁部材１３１Ａに設けられる。
【００４７】
＜遮光壁１３０の配置＞
図７は、遮光壁１３０の配置を説明するための図である。
次に、図７を参照しながら、遮光壁１３０の配置を説明する。
まず、図７に示すように、第１壁部材１３１Ａおよび第２壁部材１３１Ｂは、互いに凹部１３５が形成された面である第１側面１３３（図４参照）を対向させて配置される。さらに説明をすると、第１壁部材１３１Ａおよび第２壁部材１３１Ｂは、互いの突出部１３７の対向面１３４を突き当てて配置される。そして、図７に示すように光軸方向に沿って見ると、凹部１３５および突出部１３７は、各々第１レンズ１７３と一致する位置に配置される。
【００４８】
このように構成された第１壁部材１３１Ａおよび第２壁部材１３１Ｂは、第１レンズ１７３および第２レンズ１８３の結像に寄与しない光を遮断する。さらに説明をすると、第１壁部材１３１Ａおよび第２壁部材１３１Ｂにおいては、内側面１３６の遮光膜１３９が、主走査方向に進む光を遮断する壁を形成する。この内側面１３６の遮光膜１３９により、光軸とは交差する向き、言い替えると角度がついて第１レンズ１７３および第２レンズ１８３に入射する光が遮断される。したがって、第１レンズ１７３および第２レンズ１８３のうちの１つのレンズから主走査方向において隣接する他のレンズに入る光が低減される。なお、内側面１３６は、第１レンズ１７３および第２レンズ１８３におけるレンズ同士の間に位置する面である。
【００４９】
また、第１壁部材１３１Ａおよび第２壁部材１３１Ｂにおいては、対向面１３４の遮光膜１３９が、副走査方向に進む光を遮断する壁を形成する。この対向面１３４の遮光膜１３９により、光軸とは交差する向き、言い替えると角度がついて第１レンズ１７３および第２レンズ１８３に入射する光が遮断される。なお、対向面１３４は、複数の第１レンズ１７３における第１列Ｒ７１および第２列Ｒ７２の間に位置する面である。
【００５０】
これらのことにより、第１レンズ１７３および第２レンズ１８３の画角が狭められ、焦点深度が増加し得る。また、第１レンズ１７３および第２レンズ１８３を通過する光において、迷光が生じにくくなり得る。なお、ここでの画角とは、光軸方向に対する光線の見込み角度（法線と光線とのなす角度）のことをいう。また、迷光とは、物体面の物点、すなわち画像読み取り領域Ｌａから出た光線が、像面上、すなわち受光素子７４上の対応する像点以外に到達する光のことをいう。
【００５１】
さて、一般的には、第１レンズアレイ１７０および第２レンズアレイ１８０におけるレンズピッチ、すなわち第１レンズ１７３および第２レンズ１８３の主走査方向における間隔が狭くなると、例えば受光素子７４（図２参照）に到達する光の光量が増加するなど、第１レンズアレイ１７０および第２レンズアレイ１８０の光学性能が向上する。
【００５２】
ここで、本実施の形態とは異なり、例えば遮光壁１３０を１つの直方体で形成し、第１レンズ１７３の光軸に対応する位置に、複数の貫通孔（不図示）が形成された構成も採用され得る。しかしながら、このような構成が採用された場合において、第１レンズアレイ１７０および第２レンズアレイ１８０における狭いレンズピッチにあわせて、遮光壁１３０の貫通孔（不図示）同士の距離を狭めると、例えば貫通孔同士の間の肉壁が薄くなる。そして、例えばこの肉壁が１５０μｍ以下となるなど予め定めた厚さよりも薄くなると、射出成形を行う際に、薄い部分における樹脂材料の流動性が悪化し、成形不良が発生し得る。
【００５３】
一方で、本実施の形態の遮光壁１３０のように、第１壁部材１３１Ａおよび第２壁部材１３１Ｂを有する構成においては、第１壁部材１３１Ａおよび第２壁部材１３１Ｂにおける凹部１３５の間隔を小さくした場合であっても、上記のような成形不良が抑制され得る。
【００５４】
＜変形例１＞
図８（ａ）および（ｂ）は、壁部材１３１の変形例を説明する図である。
次に、図８（ａ）および（ｂ）を参照しながら壁部材１３１の変形例について説明をする。なお、以下の説明において、上記の実施の形態と同一の構成については、同一の符号を付して説明を省略することがある。
【００５５】
上記の説明においては、第１レンズアレイ１７０が、複数列の第１レンズ１７３を有することを説明したがこれに限定されない。例えば、図８（ａ）に示すように、第１レンズアレイ２７０が、１列の第１レンズ１７３を有する構成であってもよい。このように、第１レンズアレイ２７０が１列の第１レンズ１７３を有する構成においては、遮光壁２３０が１つの第１壁部材２３１Ａにより構成されてもよい。この第１壁部材２３１Ａは、主走査方向に交互に並べられた突出部２３７および凹部２３５を備える。そして、突出部２３７および凹部２３５は、各々第１レンズ１７３の光軸ＬＰ０が通過する位置に設けられている。また、図８（ｂ）に示すように光軸方向に沿って見ると、凹部１３５および突出部１３７は、各々第１レンズ１７３と一致する位置に配置される。
【００５６】
＜変形例２＞
図９は、壁部材１３１の他の変形例を説明する図である。
次に、図８（ａ）および（ｂ）、図９を参照しながら壁部材１３１の他の変形例について説明をする。上記図８（ａ）および（ｂ）に示す構成においては、複数の光軸ＬＰ０のうち、一部の光軸ＬＰＡは突出部２３７を通過し、他の光軸ＬＰＢは凹部２３５を通過する。したがって、突出部１３７を通過する光軸ＬＰＡと、凹部１３５を通過する光軸ＬＰＢとで、光路差が生じる構成である。
【００５７】
そこで、図９に示す変形例２においては、第１レンズアレイ３７０に設けられた第１レンズ３７３が、互いに異なる２つの曲率のうちのいずれかで形成されている。すなわち、主走査方向において隣り合う第１レンズ３７３が互いに異なる曲率で形成されている。さらに説明をすると、第１レンズ３７３は、曲率が小さい（曲率半径が大きい）小曲レンズ３７３Ａと、曲率が大きい（曲率半径が小さい）大曲レンズ３７３Ｂとのいずれかである。そして、小曲レンズ３７３Ａを通る光軸ＬＰＣ上には突出部２３７が配置され、大曲レンズ３７３Ｂを通る光軸ＬＰＤ上には凹部２３５が配置される。このことにより、上記図８（ａ）および（ｂ）に示す構成と比較して、光軸Ｌ０ごとの光路差が抑制される。
【００５８】
＜変形例３＞
図１０（ａ）および（ｂ）は、壁部材１３１の他の変形例を説明する図である。より詳細には、図１０（ａ）は壁部材４３１の斜視図であり、図１０（ｂ）は壁部材４３１の上面図である。なお、図１０（ｂ）においては、後述する第２段Ｆ２の突出部４３７の記載については省略している。
【００５９】
次に、図１０（ａ）および（ｂ）を参照しながら壁部材１３１の他の変形例について説明をする。図１０（ａ）および（ｂ）に示すように、第１レンズアレイ１７０が２列の第１レンズ１７３を有する構成において、遮光壁４３０が１つの第１壁部材４３１Ａにより構成されてもよい。
【００６０】
この構成においては、突出部４３７の各々が、第１列Ｒ７１および第２列Ｒ７２と交差して形成される。さらに説明をすると、図１０（ｂ）に示すように、突出部４３７は、第１列Ｒ７１の第１レンズ１７３の光軸を通りかつ副走査方向に延びる第１部４３７Ａと、第１部４３７Ａから副走査方向に対して傾斜する向きに延びる傾斜部４３７Ｂと、第２列Ｒ７２の第１レンズ１７３の光軸を通り傾斜部４３７Ｂから副走査方向に延びる第２部４３７Ｃとを有する。このような構成とすることにより、例えば図３に示すように、遮光壁１３０を２つの第１壁部材１３１Ａおよび第２壁部材１３１Ｂによって構成する態様と比較して、遮光壁４３０における副走査方向の寸法を抑制し得る。なお、突出部４３７は、第１部４３７Ａと第２部４３７Ｃとが連続する部分において屈曲する形状として捉えることができる。
【００６１】
なお、図示の例とは異なり、第１レンズアレイ１７０が３列以上の第１レンズ１７３を有する場合においても、遮光壁４３０が１つの第１壁部材４３１Ａにより構成されてもよい。すなわち、突出部４３７の各々が、３列以上の第１レンズ１７３と交差してもよい。この構成においては、突出部４３７の各々は、複数の傾斜部４３７Ｂを有する構成、すなわち複数箇所で屈曲する構成となってもよい。
【００６２】
＜変形例４＞
図１１は、壁部材１３１の他の変形例を説明する図である。
次に、図１１を参照しながら壁部材１３１の他の変形例について説明をする。上記図４などにおいては、凹部１３５および突出部１３７が、光軸方向に見て略矩形状であることを説明した。ここで、図１１に示す壁部材５３１のように、凹部５３５および突出部５３７が湾曲面を有する構成であってもよい。
【００６３】
さらに説明をすると、図示の壁部材５３１は、対向面５３４と溝側面５３６とによって形成される角部Ｒ１と、溝側面５３６と溝底面５３８とによって形成される隅部Ｒ２とを備える。そして、これら角部Ｒ１および隅部Ｒ２が、湾曲面により構成されている。ここで、隅部Ｒ２のほうが、角部Ｒ１よりも曲率が小さい（曲率半径が大きい）。このことにより、凹部１３５の形成が容易となり得る。
【００６４】
また、図示の例においては、対向面５３４と溝側面５３６とを覆う遮光膜５３９が、角部Ｒ１の外周に角部Ｒ３を形成する。言い替えると、角部Ｒ１において、遮光膜５３９によりエッジを立てる。また、角部Ｒ３は、角部Ｒ１よりも曲率が小さい（曲率半径が大きい）。したがって、壁部材５３１の第１壁部材１３１Ａおよび第２壁部材（不図示）が互いの突出部５３７を突き当てて配置される際に、突出部５３７同士が接触する面積が大きくなる。その結果、迷光がより抑制され得る。
【００６５】
＜変形例５＞
図１２（ａ）乃至（ｄ）は、第１遮光フィルム１１０の変形例を示す図である。
次に、図１２（ａ）乃至（ｄ）を参照しながら、第１遮光フィルム１１０の変形例について説明をする。上記の説明においては、第１遮光フィルム１１０（図１２（ａ）参照）が、平面視略長方形状の第１板面１１１に形成された略円形の第１貫通孔１１３を有することを説明したが、これに限定されない。第１遮光フィルム１１０は、光軸方向において遮光壁１３０を挟んで第１レンズ１７３および第２レンズ１８３とは反対側に設けられ、遮光壁１３０に進入する光の一部を遮断する構成であれば、その形状は特に限定されない。
【００６６】
例えば、図１２（ｂ）に示す第１遮光フィルム２１０のように、平面視略長方形状の第１板面２１１に形成された略半円状の第１貫通孔２１３を有する構成であってもよい。ここで、図１２（ｂ）に示す第１遮光フィルム２１０は、第１遮光フィルム１１０（図１２（ａ）参照）の幅方向両端を切り落とした形状と捉えることができる。例えば、第１遮光フィルム１１０の幅方向長さＷ１が２ｍｍとすると、第１遮光フィルム２１０の幅方向長さＷ２は０．７５ｍｍとなる。
【００６７】
また、図１２（ｃ）に示す第１遮光フィルム３１０のように、平面視略長方形状の第１板面３１１に形成された第１貫通孔３１３を有する構成であってもよい。第１貫通孔３１３は、略半円、より具体的には、半円よりも領域が狭い円弧と弦によって形成される所謂弓形である。図１２（ｃ）に示す第１遮光フィルム３１０は、第１遮光フィルム１１０（図１２（ａ）参照）の幅方向両端を切り落とした形状と捉えることができる。例えば、第１遮光フィルム１１０の幅方向長さＷ１が２ｍｍとすると、第１遮光フィルム３１０の幅方向長さＷ３は０．６ｍｍとなる。
【００６８】
また、図１２（ｄ）に示す第１遮光フィルム４１０のように、平面視略長方形状であってもよい。すなわち、第１貫通孔１１３（図１２（ａ）参照）を有しない構成であってもよい。第１遮光フィルム４１０は、副走査方向における第１レンズ１７３の第１列Ｒ７１および第２列Ｒ７２の間において、第１列Ｒ７１および第２列Ｒ７２に沿って配置される長尺状部材として捉えることができる。例えば、第１遮光フィルム４１０の幅方向長さＷ４は０．１８ｍｍである。
【００６９】
図１３（ａ）および（ｂ）は、第１遮光フィルム１１０の形状を変化させたシミュレーション結果を示す図である。より詳細には、図１３（ａ）は、第１遮光フィルム１１０の形状を変化させた場合における、主走査方向の焦点深度と解像度（ＣＴＦ：Ｃｏｎｔｒａｓｔ Ｔｒａｎｓｆｅｒ Ｆｕｎｃｔｉｏｎ）との関係のシミュレーション結果を示す図である。また、図１３（ｂ）は、第１遮光フィルム１１０の形状を変化させた場合における、副走査方向における焦点深度と、解像度との関係のシミュレーション結果を示す図である。
【００７０】
なお、図１３（ａ）および（ｂ）における解像度は、書き込む線画像データの濃度コントラストを１００％とした場合の、原稿Ｇ上の読取画像の濃度コントラストの相対値である。また、シミュレ―ションの条件としては、図２に示すレンズアレイユニット１０のように、遮光壁１３０、第２遮光フィルム１５０、第１レンズアレイ１７０、第２レンズアレイ１８０、および第３遮光フィルム１９０をこの順に積層したものに対して、各形状の第１遮光フィルム１１０などを配置することとした。
【００７１】
なお、「半円０．６」とは、第１遮光フィルム１１０の副走査方向の両側を切り落とし、第１遮光フィルムの幅方向長さを０．６ｍｍとしたものである。また、比較対象として、第１遮光フィルム１１０を設けない条件を「フィルム無し」とした。また、「線０．１８」は図１２（ｄ）の第１遮光フィルム４１０であり、「半円０．６」は図１２（ｃ）の第１遮光フィルム３１０であり、「半円０．７５」は図１２（ｂ）の第１遮光フィルム２１０であり、「円」は図１２（ａ）の第１遮光フィルム１１０である。
【００７２】
次に、図１２（ａ）乃至（ｄ）、図１３（ａ）および（ｂ）を参照しながら、第１遮光フィルム１１０の形状を変化させた際のシミュレーション結果について説明をする。
図１３（ａ）および（ｂ）に示すように、上記第１遮光フィルム１１０、２１０、３１０、４１０、および「半円０．６５」の第１遮光フィルム（不図示）の各々において、主走査方向における焦点深度および解像度の関係、および副走査方向における焦点深度および解像度との関係をシミュレーションした。
【００７３】
図１３（ａ）および（ｂ）によれば、「線０．１８」、「半円０．６」、「半円０．６５」、「半円０．７５」、および「円」のいずれにおいても、「フィルム無し」と比較して、より大きな解像度が得られた。すなわち、第１遮光フィルム１１０などを配置することによって、レンズアレイユニット１０の光学性能が向上することが確認された。なお、「線０．１８」である第１遮光フィルム４１０においては、図１３（ｂ）に示す副走査方向における解像度が「フィルム無し」と比較して大きくなることが確認された。
【００７４】
＜他の変形例＞
上記の説明においては、第１遮光フィルム１１０を設けることを説明したが、フィルム状の形状や材質に限定されるものではない。例えば、フィルムよりも剛性が高い板状部材によって第１遮光フィルム１１０を構成してもよい。すなわち、第１遮光フィルム１１０に替えて、遮光板として構成してもよい。さらに、第１遮光フィルム１１０を設けない構成であってもよい。
【００７５】
また、第１遮光フィルム１１０などにおいて、第１貫通孔１１３、２１３、３１３を設けることを説明したが、光を透過させる構成であれば、これに限定されない。例えば、光源７３からの光に対して透明なフィルムや板などにより、第１貫通孔１１３、２１３、３１３が覆われている構成であってもよい。
【００７６】
上記の説明においては、第１レンズ１７３の光軸ごとに、１つの突出部１３７あるいは１つの凹部１３５を配置したが、複数の第１レンズ１７３の光軸にまたがって、１つの突出部１３７あるいは１つの凹部１３５が構成されてもよい。さらに説明をすると、突出部１３７が、レンズピッチの整数倍ごとに設けられてもよい。また、凹部１３５が、レンズピッチの整数倍ごとに設けられてもよい。
【００７７】
また、上記の説明においては、凹部１３５および突出部１３７が、１段（図８参照）あるいは２段（図４参照）で形成されることを説明したが、凹部１３５および突出部１３７の段数はこれに限定されない。凹部１３５および突出部１３７が、３段あるいはそれ以上の数の段で形成されてもよい。
【００７８】
また、上記の説明においては、対向面１３４および内側面１３６の表面を粗く構成することを説明したが、対向面１３４あるいは内側面１３６と遮光膜１３９との間において反射を抑制する機能を有するものであればこれに限定されない。例えば、粗い表面に替えて、対向面１３４あるいは内側面１３６と遮光膜１３９との間において反射を抑制する膜など他の部材を配置する構成でもよい。また、対向面１３４および内側面１３６の表面を粗くすることなく、遮光膜１３９によって覆う構成としてもよい。
【００７９】
また、対向面１３４を遮光膜１３９によって覆うことを説明したが、これに限定されない。対向面１３４が遮光膜１３９に覆われない構成であってもよい。すなわち、対向面１３４が光を透過させることを許容する構成であってもよい。
【００８０】
また、底面１３８は、遮光膜１３９によって覆われないことを説明したが、これに限定されない。対向面１３４および内側面１３６と同様に、底面１３８が遮光膜１３９によって覆われる構成であってもよい。対向面１３４、内側面１３６、および底面１３８が遮光膜１３９によって覆われる構成とすることで、底面１３８を遮光膜１３９に覆われない構成と比較して、例えば製造工程において、底面１３８に遮光膜１３９が塗装されないよう、底面１３８にマスキングなどを行う作業が不要となり得る。
【００８１】
また、レンズアレイユニット１０を原稿読取装置１に設けることを説明したが、これに限定されない。例えば、発光ダイオードが発光する光を像保持体に結像する像形成装置など、原稿読取装置１以外の光学装置にレンズアレイユニット１０を設けてもよい。
【００８２】
なお、上記の説明における第１レンズ１７３は、レンズ体の一例である。遮光壁１３０は、透過体および遮光体の一例である。遮光膜１３９は、遮光部、他の遮光部、および塗装部材の一例である。凹部１３５は、空間および他の空間の一例である。第１壁部材１３１Ａは、第１透過体の一例である。第２壁部材１３１Ｂは、第２透過体の一例である。第１壁部材１３１Ａの基部１３２は、第１基部の一例である。第１壁部材１３１Ａの突出部１３７は、透過部、他の透過部、第１透過部、および第１突出部の一例である。第２壁部材１３１Ｂの基部１３２は、第２基部の一例である。第２壁部材１３１Ｂの突出部１３７は、第２透過部および第２突出部の一例である。第１遮光フィルム１１０は、覆い部材の一例である。第１貫通孔１１３は、通過領域の一例である。光源７３は、照射部の一例である。受光素子７４は、受光部の一例である。原稿読取装置１は、画像読取装置の一例である。
【００８３】
上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【符号の説明】
【００８４】
１…原稿読取装置、１０…レンズアレイユニット、１００…画像形成装置、１１０…第１遮光フィルム、１３０…遮光壁、１３１Ａ…第１壁部材、１３１Ｂ…第２壁部材、１３５…凹部、１３６…内側面、１３７…突出部、１３９…遮光膜
【図１】
2020160238.tif 000003
【図２】
2020160238.tif 000004
【図３】
2020160238.tif 000005
【図４】
2020160238.tif 000006
【図５】
2020160238.tif 000007
【図６】
2020160238.tif 000008
【図７】
2020160238.tif 000009
【図８】
2020160238.tif 000010
【図９】
2020160238.tif 000011
【図１０】
2020160238.tif 000012
【図１１】
2020160238.tif 000013
【図１２】
2020160238.tif 000014
【図１３】
2020160238.tif 000015